(57)【要約】【課題】プログラムデータを分割した複数の更新データを、衛星放送又は地上放送から効率的にダウンロードすること。【解決手段】ＣＰＵ２０５は、プログラムデータをロードして様々な処理の実行を制御する。映像音声処理部２０４は、ＤＬ情報分離部Ａ２０１又はＤＬ情報分離部Ｂ２０２からの映像信号を表示器５１へ、音声信号をスピーカ５２へ出力する。放送ＤＬ制御部２０３は、ＤＬ情報分離部Ａ２０１が地上放送処理部２０ａから入力される情報から抽出したＳＤＴＴ、及び、ＤＬ情報分離部Ｂ２０２が衛星放送処理部２０ｂから入力される情報から抽出したＳＤＴＴを記憶部６０に記憶させる。また放送ＤＬ制御部２０３は、記憶したＳＤＴＴに基づいて、地上放送処理部２０ａからの分割更新データ又は衛星放送処理部２０ｂからの更新データの何れかの放送ＤＬを実行するかを決定する。【選択図】  図２
2011135430.tif 000002
【特許請求の範囲】
【請求項１】
プログラムに基づく処理を実行する放送受信装置であって、
前記プログラムを更新する更新データを含み、所定の放送時間に放送される第１の放送波を受信する第１の受信手段と、
前記プログラムを更新する更新データを分割した複数の分割データを含み、所定の放送時間に放送される第２の放送波を受信する第２の受信手段と、
前記第１の放送波に含まれる前記更新データ及び、前記第２の放送波に含まれる前記分割データの何れかをダウンロードするダウンロード手段と、
前記第１の放送波と前記第２の放送波との放送時間の一部が重なる場合、前記ダウンロード手段が前記第１の放送波に含まれる前記更新データをダウンロードするように制御する制御手段と、
を具備することを特徴とする放送受信装置。
【請求項２】
前記ダウンロード手段は、前記更新データを優先してダウンロードするための設定を行うことをユーザに許可することを特徴とする請求項１記載の放送受信装置。
【請求項３】
前記制御手段は、前記第１の放送波と前記第２の放送波との放送時間が異なる場合、前記ダウンロード手段が前記分割データをダウンロードするように制御することを特徴とする請求項１又は２に記載の放送受信装置。
【請求項４】
前記制御手段は、前記分割データのダウンロードに失敗した場合、次回には、前記更新データをダウンロードするように切り替える制御をすることを特徴とする請求項３記載の放送受信装置。
【請求項５】
前記第１の放送波は衛星からの衛星放送であると共に、前記第２の放送波は地上波による地上放送であることを特徴とする請求項１乃至４の何れかに記載の放送受信装置。
【請求項６】
プログラムに基づく処理を実行する放送受信装置による放送受信方法であって、
前記プログラムを更新する更新データを含み、所定の放送時間に放送される第１の放送波を受信し、
前記プログラムを更新する更新データを分割した複数の分割データを含み、所定の放送時間に放送される第２の放送波を受信し、
前記第１の放送波に含まれる前記更新データ及び、前記第２の放送波に含まれる前記分割データの何れかをダウンロードし、
前記第１の放送波と前記第２の放送波との放送時間の一部が重なる場合、前記第１の放送波に含まれる前記更新データをダウンロードするように制御する、
ことを特徴とする放送受信方法。
【発明の詳細な説明】
【技術分野】
【０００１】
本発明は、放送波によって供給される情報を取得する放送受信装置及び放送受信方法に関する。
【背景技術】
【０００２】
近年、テレビジョン放送における、アナログ放送からデジタル放送への移行が進行している。この移行に伴って、地上デジタル放送波（以下、地上放送と称する）又は衛星デジタル放送波（以下、衛星放送と称する）を受信して番組情報を取得することができるデジタル放送受信装置が広く普及している。
【０００３】
デジタル放送では、デジタル放送受信装置で実行されるプログラムデータの更新データを放送によってダウンロードする形態（以下、放送ダウンロードと称する）が実施されている。この形態において、ＳＤＴＴ（Software Download Trigger Table）と称される情報により、デジタル放送受信装置は、更新データの放送スケジュールを把握することができる。更新データは、プログラムデータの修正、機能追加等の用途に用いられる。
【０００４】
ＳＤＴＴによるスケジュールで、地上放送及び衛星放送によって同一の更新データが放送されることがある。地上放送と衛星放送とでは、放送ダウンロードにおける転送レート及び更新データの放送のための単位時間が異なっている。一般には、衛星放送のほうが地上放送に対して、転送レートが高く短時間でより多くのデータを放送できる。従って同容量の更新データであれば、衛星放送によりデータを取得するほうが短時間で完了することが期待される。
【０００５】
ところで近年では、デジタル放送受信装置の多機能化に伴って、この装置で実行されるプログラムのデータ容量が大きくなってきている。このため、衛星放送に対してより少ないデータしか放送できない地上放送による放送ダウンロードでは、このプログラムの更新データを複数に分割して放送する必要がある。また、ＳＤＴＴによるスケジュールでは、これらの分割された更新データそれぞれが、連続した時間帯に放送されずに異なる時間帯に放送されることもある。
【０００６】
このような地上放送及び衛星放送の何れかを利用して、効率的に放送ダウンロードを実行するための様々な技術を実現する装置及び方法が開示されている。
例えば、特許文献１によれば、衛星放送から第１の信号を受信する衛星受信部と、地上波放送から第２の信号を受信する地上波受信部と、上記衛星受信部により受信された第１の信号と上記地上波受信部により受信された第２の信号とを選択する選択部と、上記選択部により選択された信号を処理する処理部とを備えた放送受信装置が開示されている。
【先行技術文献】
【特許文献】
【０００７】
【特許文献１】特開２００５−０５１６１０号公報  （図１  段落００３１）
【発明の概要】
【発明が解決しようとする課題】
【０００８】
しかし特許文献１は、放送受信装置は衛星放送又は地上波放送の何れを選択するかを、受信レベル、開始時刻、終了時刻、ユーザ設定に応じて決定することに関しては開示していたが、地上放送による放送ダウンロードにおいて、放送される更新データが複数に分割されている場合に、衛星放送及び地上放送を効率的に利用する技術に関しては一切開示していなかった。
【０００９】
そこで、本発明は上述した課題を解決するために、プログラムデータを分割した複数の更新データを、衛星放送又は地上放送から効率的にダウンロードすることができる放送受信装置及び放送受信方法を提供することを目的とする。
【課題を解決するための手段】
【００１０】
本発明は上述した課題を解決するため、プログラムに基づく処理を実行する放送受信装置であって、前記プログラムを更新する更新データを含み、所定の放送時間に放送される第１の放送波を受信する第１の受信手段と、前記プログラムを更新する更新データを分割した複数の分割データを含み、所定の放送時間に放送される第２の放送波を受信する第２の受信手段と、前記第１の放送波に含まれる前記更新データ及び、前記第２の放送波に含まれる前記分割データの何れかをダウンロードするダウンロード手段と、前記第１の放送波と前記第２の放送波との放送時間の一部が重なる場合、前記ダウンロード手段が前記第１の放送波に含まれる前記更新データをダウンロードするように制御する制御手段とを具備することを特徴とする放送受信装置を提供する。
【００１１】
また本発明は上述した課題を解決するため、プログラムに基づく処理を実行する放送受信装置による放送受信方法であって、前記プログラムを更新する更新データを含み、所定の放送時間に放送される第１の放送波を受信し、前記プログラムを更新する更新データを分割した複数の分割データを含み、所定の放送時間に放送される第２の放送波を受信し、前記第１の放送波に含まれる前記更新データ及び、前記第２の放送波に含まれる前記分割データの何れかをダウンロードし、前記第１の放送波と前記第２の放送波との放送時間の一部が重なる場合、前記第１の放送波に含まれる前記更新データをダウンロードするように制御することを特徴とする放送受信方法を提供する。
【発明の効果】
【００１２】
本発明によれば、プログラムデータを分割した複数の更新データを、衛星放送又は地上放送から効率的にダウンロードすることができる。
【図面の簡単な説明】
【００１３】
【図１】本発明の実施形態に係る放送受信装置であるテレビジョン受像機の構成を示すブロック図。
【図２】信号処理制御部に備えられ、ＳＤＴＴ取得処理、更新データ取得処理及びプログラム更新処理を実行する各ブロックからなるシステム構成図。
【図３】図２で説明した信号処理制御部に備えられる各ブロックによって実行される放送ＤＬ処理の動作を説明するためのフローチャート。
【図４】図３で説明した放送ＤＬ処理の動作における複数のステップにおける放送ＤＬのスケジュールの例を示す概念図。
【発明を実施するための形態】
【００１４】
以下、本発明における実施形態について図面を用いて説明する。
図１は、本発明の実施形態に係る放送受信装置であるテレビジョン受像機１０の構成を示すブロック図である。
このテレビジョン受像機１０は、地上放送処理部２０ａ、衛星放送処理部２０ｂ、外部機器ＩＦ部２１、操作部３１、受光部３２、信号処理制御部４０、表示器５１、スピーカ５２、記憶部６０などで構成されている。また、地上放送処理部２０ａにはアンテナＡＮＴ１が、衛星放送処理部２０ｂにはアンテナＡＮＴ２がそれぞれ接続されている。さらに受光部３２はリモートコントローラ（以下、リモコンと称する）ＲＣと情報のやりとりを行う。
【００１５】
テレビジョン受像機１０は、テレビジョン受像機１０自身のプログラムデータを更新するために、地上デジタル放送波（以下、地上放送と称する）及び衛星デジタル放送波（以下、衛星放送と称する）からのＳＤＴＴ（Software Download Trigger Table）に基づいて、プログラムデータを更新するための更新データを取得（ダウンロード）する。ＳＤＴＴは、番組に関連する情報である番組関連情報の一部の情報であって、放送波による更新データが放送される時間帯を示す放送時間情報である。更新データは、地上放送によって放送されることも、衛星放送によって放送されることもある。
【００１６】
更新データは、ＳＤＴＴでスケジューリングされている時間帯に番組情報に付随する専用の伝送信号（以下、エンジニアリングストリーム信号と称する）として放送される。従ってテレビジョン受像機１０は、スケジューリングされた時間帯に地上放送又は衛星放送で放送される番組を受信することで更新データを取得することができる。このような、放送を利用して更新データを取得する形態又は取得そのものは、放送ダウンロード（以下、放送ＤＬと称する）と呼ばれる。
【００１７】
放送ＤＬでは、更新データは、例えば衛星放送では最大で約１０８０［秒］の期間に約２１７３［ｋｂｐｓ］のレートで放送され、地上放送では最大で約２７００［秒］の期間に約１９０［ｋｂｐｓ］のレートで放送される。すなわち放送ＤＬでは、地上放送に対して衛星放送のほうがより短時間で大容量の更新データを放送することができる。更新データが大容量になると、地上放送では、この大容量の更新データを複数に分割した複数の分割更新データ（以下、分割データとも称する）それぞれが、異なる時間帯に放送されることになる。分割更新データそれぞれの放送時間は連続している場合や不連続である場合など様々であり、すなわち、この時間帯がＳＤＴＴでスケジューリングされている。
【００１８】
本実施形態に係るテレビジョン受像機１０は、このような、地上放送から放送され、複数に分割された更新データである分割更新データ（分割データ）又は衛星放送から放送される更新データとの何れかを所定条件に基づいて選択しさらに取得する放送ＤＬ処理を実行する。
【００１９】
地上放送処理部２０ａは、アンテナＡＮＴ１によって受信された地上デジタル放送波に対応するチューナおよびデコーダを有する。この地上放送処理部２０ａは、アンテナＡＮＴ１が受信した信号を取得し、この取得した信号に対して、信号処理制御部４０から指示された特定チャンネルを選局する選局処理及び復調処理などを施す。そして地上放送処理部２０ａは、これらの処理を施した、番組の映像音声情報や番組名等の番組関連情報が含まれるトランスポートストリーム信号（以下、ＴＳ信号と称する）を信号処理制御部４０に出力する。この地上放送処理部２０ａは、ＳＤＴＴ、更新データ又は分割更新データなどの情報が含まれる信号を取得して、これらの情報が含まれるＴＳ信号及びエンジニアリングストリーム信号を出力する。
【００２０】
衛星放送処理部２０ｂは、アンテナＡＮＴ２によって受信された衛星デジタル放送波に対応するチューナおよびデコーダを有する。この衛星放送処理部２０ｂは、アンテナＡＮＴ１が受信した信号を取得し、この取得した信号に対して、信号処理制御部４０から指示された特定チャンネルを選局する選局処理や復調処理などを施す。そして衛星放送処理部２０ｂは、これらの処理を施した、番組の映像音声情報や番組名等の番組関連情報が含まれるＴＳ信号を信号処理制御部４０に出力する。この衛星放送処理部２０ｂは、ＳＤＴＴ及び更新データなどの情報が含まれる信号を取得して、これらの情報が含まれるＴＳ信号及びエンジニアリングストリーム信号を出力する。
【００２１】
外部機器ＩＦ部２１は、ＨＤＭＩ（登録商標）規格、ＵＳＢ規格又はＩＥＥＥ１３９４規格などの様々な規格に基づいて特定の情報を抽出する情報抽出部を有する。また外部機器ＩＦ部２１は、これらの様々な規格に準じた接続端子を介して接続された外部機器や、外部ＨＤＤ、メモリカードなどの記録媒体といった情報提供源から、コンテンツの映像音声情報やコンテンツ関連情報が含まれる信号を取得して信号処理制御部４０へ出力する。
【００２２】
操作部３１は、テレビジョン受像機１０を操作するための操作入力を受ける操作キーを有し、この操作キーへの入力に応じた操作入力情報を信号処理制御部４０へ出力する。同様に受光部３２は、リモコンＲＣからの操作入力を示す信号を受光（受信）して、受光した信号に応じた操作入力情報を信号処理制御部４０へ出力する。この操作部３１またはリモコンＲＣは、衛星放送に係る放送ＤＬを優先して実行するモード設定を行うためのＭＥＮＵ画面を提示するＭＥＮＵキーなどを備えている。
【００２３】
信号処理制御部４０は、信号処理制御部４０自身に備えられた各ブロックや信号処理制御部４０に接続された各モジュールを利用して、複数の処理の実行を制御する。例えば信号処理制御部４０は、操作部３１や受光部３２からの操作入力情報に応じて、地上放送処理部２０ａ、衛星放送処理部２０ｂ又は外部機器ＩＦ部２１といった入力ソースから入力された信号に対して、様々な処理を施す。具体的には信号処理制御部４０は、入力された信号に対して、映像信号と音声信号とを分離する分離処理やＭＰＥＧ復号化演算処理などの処理を施して、表示器５１へ映像信号を出力すると共にスピーカ５２へ音声信号を出力する。
【００２４】
本実施形態では、信号処理制御部４０は、地上放送処理部２０ａ又は衛星放送処理部２０ｂから入力されたＴＳ信号からＳＤＴＴを抽出して記憶するＳＤＴＴ取得処理や、地上放送処理部２０ａ又は衛星放送処理部２０ｂから効率よく入力されたエンジニアリングストリーム信号から分割更新データ又は更新データを抽出して記憶する更新データ取得処理を実行する。また信号処理制御部４０は、取得した分割更新データ又は更新データに基づいて、プログラムデータを更新するプログラム更新処理を実行する。
【００２５】
表示器５１は、信号処理制御部４０から入力された映像信号を表示する表示パネルを含む表示モジュールである。表示器５１には例えば、ＬＣＤ（Liquid Crystal Display）やＰＤＰ（Plasma Display Panel）などの薄型平面ディスプレイを適用することができる
【００２６】
スピーカ５２は、信号処理制御部４０から入力された音声信号を出力する。スピーカ５２は、一つだけではなく、左右チャンネル用又は入力された音声信号の低音域を出力するためのサブウーファなどが設けられてもよい。
【００２７】
記憶部６０は、電源の供給がされない場合でも情報を記憶することができる不揮発性メモリである。この記憶部６０は、信号処理制御部４０で実行されるプログラムデータを記憶し、信号処理制御部４０によってこのプログラムデータを読み出される。また記憶部６０は、信号処理制御部４０から入力されるＳＤＴＴ、分割更新データ及び更新データを記憶する。このＳＤＴＴは、記憶部６０ではなくＨＤＤ、ＳＳＤ又はＲＡＭ（いずれも不図示）に記憶されてもよい。記憶部６０は、信号処理制御部４０の内部に備えられてもよい。
【００２８】
また、テレビジョン受像機１０は、ＬＡＮ又はＷＡＮなどのネットワークを介して通信を行う通信部を有するネットワークＩＦ機能を実現するブロックを備え、接続したネットワーク先の特定サーバや記録媒体などの情報提供源から、コンテンツの映像音声情報やコンテンツ関連情報が含まれる信号を取得する構成としてもよい。
【００２９】
なお本実施形態は、本発明に係る構成を適用した放送受信装置として、テレビジョン受像機１０を例とした形態である。しかし、本実施形態に係る放送受信装置と同様の構造の、パーソナルコンピュータ、携帯型移動端末装置、ＨＤＤ／光ディスクレコーダなどを例とした形態であっても構わない。また、地上放送や衛星放送だけでなく、ラジオ放送やインターネット又はケーブルネットワーク等を用いた有線放送などを受信するセットトップボックスなどを例とした実施形態であってもよい。
【００３０】
このような構成により、本発明の実施形態に係るテレビジョン受像機１０に備えられた特定のブロックは、地上放送処理部２０ａ又は衛星放送処理部２０ｂから入力される信号に基づいて、ＳＤＴＴ取得処理、更新データ取得処理及びプログラム更新処理を実行する。したがってテレビジョン受像機１０は、プログラムデータを分割した複数の更新データを、衛星放送又は地上放送から効率的にダウンロードすることができる。これらの処理は主に、信号処理制御部４０が実行するものである。
【００３１】
次に、図２を用いて、図１で説明した信号処理制御部４０に備えられ、ＳＤＴＴ取得処理、更新データ取得処理及びプログラム更新処理を実行する各ブロックを説明する。
【００３２】
図２は、信号処理制御部４０に備えられ、ＳＤＴＴ取得処理、更新データ取得処理及びプログラム更新処理を実行する各ブロックからなるシステム構成図である。
信号処理制御部４０は、ＤＬ情報分離部Ａ２０１、ＤＬ情報分離部Ｂ２０２、放送ＤＬ制御部２０３、映像音声処理部２０４、ＣＰＵ２０５などを備えている。
ＤＬ情報分離部Ａ２０１は、地上放送処理部２０ａから入力されるＴＳ信号から映像パケット及び音声パケットを分離し、この分離した映像パケット及び音声パケットを映像音声処理部２０４へ出力する。またＤＬ情報分離部Ａ２０１は、このＴＳ信号からＳＩ情報を抽出して、抽出したＳＩ情報に含まれるＳＤＴＴを放送ＤＬ制御部２０３へ出力する。さらにＤＬ情報分離部Ａ２０１は、地上放送処理部２０ａから入力されるエンジニアリングストリーム信号から抽出した分割更新データ又は更新データを放送ＤＬ制御部２０３へ出力する。
【００３３】
ＤＬ情報分離部Ｂ２０２は、衛星放送処理部２０ｂから入力されるＴＳ信号から映像パケット及び音声パケットを分離し、この分離した映像パケット及び音声パケットを映像音声処理部２０４へ出力する。またＤＬ情報分離部Ｂ２０２は、このＴＳ信号からＳＩ情報を抽出して、抽出したＳＩ情報に含まれるＳＤＴＴを放送ＤＬ制御部２０３へ出力する。さらにＤＬ情報分離部Ｂ２０２は、衛星放送処理部２０ｂから入力されるエンジニアリングストリーム信号から抽出した更新データを放送ＤＬ制御部２０３へ出力する。
【００３４】
放送ＤＬ制御部２０３は、ＤＬ情報分離部Ａ２０１から入力される地上放送に係るＳＤＴＴ及び、ＤＬ情報分離部Ｂ２０２から入力される衛星放送に係るＳＤＴＴを記憶部６０に記憶させる。この放送ＤＬ制御部２０３は、記憶部６０から読み出した地上放送に係るＳＤＴＴ及び衛星放送に係るＳＤＴＴに基づいて、地上放送処理部２０ａ又は衛星放送処理部２０ｂに対して放送ＤＬに係る特定チャンネルの選局処理の実行を指示する。そして放送ＤＬ制御部２０３は、この選局処理で選局されたチャンネルに応じて、ＤＬ情報分離部Ａ２０１から入力される地上放送に係る分割更新データ又は更新データ、又は、ＤＬ情報分離部Ｂ２０２から入力される衛星放送に係る更新データを記憶部６０に記憶させる。また放送ＤＬ制御部２０３は、ＤＬ情報分離部Ａ２０１から地上放送に係る分割更新データを入力された場合、入力された分割更新データと関連し、全てを合体させて一つの更新データとなる複数の分割更新データを関連付けて記憶部６０に記憶させる。例えば、放送ＤＬ制御部２０３は、入力された複数の分割更新データを記憶部６０の一部の領域に一時的に格納し、関連する全ての分割更新データを格納し終えた後に、これらのデータに基づいて一つの更新データとして、記憶部６０の所定の領域に書き込むことで実現することができる。
【００３５】
映像音声処理部２０４は、ＤＬ情報分離部Ａ２０１から入力される地上放送に係る映像パケット及び音声パケット、又は、ＤＬ情報分離部Ｂ２０２から入力される衛星放送に係る映像パケット及び音声パケットに基づいて、ＭＰＥＧ復号化演算処理や画質音質調整処理などを施す。そして映像音声処理部２０４は、これらの処理を施した映像信号を表示器５１へ、音声信号をスピーカ５２へ出力する。また映像音声処理部２０４は、ＤＬ情報分離部Ａ２０１又はＤＬ情報分離部Ｂ２０２から入力される映像信号パケットに基づいて、映像音声情報を録画（または録音）する録画処理を実行する。さらに映像音声処理部２０４は、録画した映像音声情報や外部機器ＩＦ部２１から入力される映像音声情報を、表示器５１及びスピーカ５２から出力させる映像音声出力処理を実行する。この映像音声処理部２０４は、録画処理や映像音声出力処理を所定時間に実行することを予約する予約処理を実行することもできる。
【００３６】
ＣＰＵ２０５は、信号処理制御部４０自身に備えられた各ブロックや信号処理制御部４０に接続された各モジュールを利用した様々な処理の実行を制御する。ＣＰＵ２０５は、記憶部６０に格納されたプログラムデータをロードすることで、様々な処理の実行を制御することができる。このプログラムデータは、テレビジョン受像機１０が工場出荷される時に記憶部６０に格納されるが、地上放送又は衛星放送に係る放送ＤＬによって取得される更新データによって更新されることがある。
【００３７】
これら複数のブロックによるシステム構成により、主に信号処理制御部４０が、地上放送に係る分割更新データ又は更新データ、又は、衛星放送に係る更新データを、不揮発性の記憶部６０を利用して格納するように制御するので、本実施形態に係るテレビジョン受像機１０は、プログラムデータを分割した複数の更新データを、衛星放送又は地上放送から効率的にダウンロードすることができる。
【００３８】
次に、図３を用いて、図２で説明した信号処理制御部４０に備えられる各ブロックによって実行される、地上放送からの分割更新データ又は更新データ、及び衛星放送からの更新データとの何れかを所定条件に基づいて選択して取得する放送ＤＬ処理の動作を説明する。
【００３９】
図３は、図２で説明した信号処理制御部４０に備えられる各ブロックによって実行される放送ＤＬ処理の動作を説明するためのフローチャートである。
前述したとおり、信号処理制御部４０に備えられた放送ＤＬ制御部２０３は、ＤＬ情報分離部Ａ２０１、ＤＬ情報分離部Ｂ２０２、地上放送処理部２０ａ、及び衛星放送処理部２０ｂを利用して、地上放送に係るＳＤＴＴ及び衛星放送に係るＳＤＴＴを取得して記憶部６０に格納する。本実施形態に係る放送ＤＬ処理では、放送ＤＬ制御部２０３が、この地上放送に係るＳＤＴＴ及び衛星放送に係るＳＤＴＴを参照することで実行される。
【００４０】
まず放送ＤＬ制御部２０３は、記憶部６０に格納されたＳＤＴＴを参照することで、現在の時間に直近の放送ＤＬがあることを検知し、参照したＳＤＴＴに基づいて、放送ＤＬ処理の開始を発動する（Ｓ３０１）。そして放送ＤＬ制御部２０３は、放送ＤＬ処理のための準備を行う（Ｓ３０２）。放送ＤＬ処理のための準備は、例えば記憶部６０の記憶領域確保などの処理である。
【００４１】
ここで放送ＤＬ制御部２０３は、ＳＤＴＴを参照することで検知した直近の放送ＤＬのスケジュールと、この映像音声処理部２０４が実行する予約処理との重複があるか否かを判定する（Ｓ３０３）。重複がある場合（Ｓ３０３のＹｅｓ）、実行対象の放送ＤＬのスケジュールを無効化して（Ｓ３０９）、再び、記憶部６０に格納されたＳＤＴＴを参照して直近の放送ＤＬの放送開始を待ち、実行対象の新たな放送ＤＬがある場合に放送ＤＬ処理の開始を発動する（Ｓ３０１）。
【００４２】
一方、重複がない場合（Ｓ３０３のＮｏ）、放送ＤＬ制御部２０３は、強制的に衛星放送に係る放送ＤＬを実行するモードであるか否かを判定する（Ｓ３０４）。この強制的に衛星放送に係る放送ＤＬを実行するモードは、テレビジョン受像機１０の利用者が、表示器５１に表示されるＭＥＮＵ画面を、操作部３１またはリモコンＲＣを利用して操作することで設定されるものである。
【００４３】
このモードに係る判定の結果、現在のモードが、強制的に衛星放送に係る放送ＤＬを実行するモードではない場合（Ｓ３０４のＮｏ）、放送ＤＬ制御部２０３は、実行する放送ＤＬが衛星放送に係るものか地上放送に係るものかを判定する（Ｓ３０５）。実行する放送ＤＬが衛星放送に係るものである場合（Ｓ３０５のＹｅｓ;Ｃａｓｅ１）、放送ＤＬ制御部２０３は、衛星放送に係る放送ＤＬ処理を実行して（Ｓ３０６）、処理を終える。また現在のモードが、強制的に衛星放送に係る放送ＤＬを実行するモードである場合（Ｓ３０４のＹｅｓ）も、放送ＤＬ制御部２０３は、衛星放送に係る放送ＤＬ処理を実行して（Ｓ３０６）、処理を終える。
【００４４】
実行する放送ＤＬが衛星放送に係るものか地上放送に係るものかの判定（Ｓ３０５）で、実行する放送ＤＬが地上放送に係るものである場合（Ｓ３０５のＮｏ）、放送ＤＬ制御部２０３は、次の判定をする。この判定は、実行する地上放送に係る放送ＤＬで取得されるデータが分割更新データであって、且つこの分割更新データと関連し、全てを合体させて一つの更新データとなる複数の分割更新データそれぞれが放送される時間帯が、地上放送に係る放送ＤＬで取得される複数の分割更新データからなる更新データと同一の更新データの、衛星放送に係る放送ＤＬの放送開始時間と重複するか否か、というものである。換言するとこの判定は、地上放送に係る複数の関連する分割更新データの放送時間帯が、これらの分割更新データからなる更新データと同じ更新データの衛星放送からの放送開始時間に重複するか否か、という判定（Ｓ３０７）である。
【００４５】
そして重複がない場合（Ｓ３０７のＮｏ;Ｃａｓｅ２）、放送ＤＬ制御部２０３は、地上放送に係る放送ＤＬ処理を実行して（Ｓ３０８）処理を終える。一方重複がある場合（Ｓ３０７のＹｅｓ；Ｃａｓｅ３）、実行対象の地上放送に係る放送ＤＬのスケジュールを無効化して（Ｓ３０９）、再び、記憶部６０に格納されたＳＤＴＴを参照して直近の放送ＤＬの放送開始を待ち、実行対象の新たな放送ＤＬがある場合に放送ＤＬ処理の開始を発動する（Ｓ３０１）。
【００４６】
なお、このような動作における各ステップにおいて、それぞれの動作又は決定内容を示すメッセージを提示する画面を表示器５１に表示する実施形態、又は、テレビジョン受像機１０の本体に設けられたインジケータ等（不図示）により状態を提示する実施形態も適用可能である。表示又は提示する内容は、例えば、強制的に衛星放送に係る放送ＤＬを実行するモードであること、実行する放送ＤＬが地上放送に係る放送ＤＬか衛星放送に係る放送ＤＬか、予約処理との重複があったことなどである。もしくは、ＳＤＴＴに基づく放送ＤＬのスケジュールを一覧表示する画面を表示器５１に表示してもよい。
【００４７】
このような動作で放送ＤＬ処理が実行されるので、本実施形態に係るテレビジョン受像機１０は、プログラムデータを分割した複数の更新データを、衛星放送又は地上放送から効率的にダウンロードすることができる。
【００４８】
次に、図４を用いて、図３で説明した放送ＤＬ処理の動作における複数のステップにおける放送ＤＬのスケジュールの例を説明する。
図４は、図３で説明した放送ＤＬ処理の動作における複数のステップにおける放送ＤＬのスケジュールの例を示す概念図である。
例えばＣａｓｅ１は、図３における（Ｓ３０５のＹｅｓ）に該当する、実行する放送ＤＬが衛星放送に係るものである場合の、放送ＤＬのスケジュールの例を示す概念図である。このＣａｓｅ１では、現在実行する放送ＤＬが、衛星放送に係る放送ＤＬであることは事実であり、且つ地上波に係る放送ＤＬの有無には判定が影響されない。
【００４９】
またＣａｓｅ２は、図３における（Ｓ３０７のＮｏ）に該当する、地上放送に係る複数の関連する分割更新データの放送時間帯が、これらの分割更新データからなる更新データと同じ更新データの衛星放送からの放送開始時間に重複しない場合の、放送ＤＬのスケジュールの例を示す概念図である。このＣａｓｅ２では、地上放送に係る放送ＤＬでは複数の分割更新データが放送されること、及び、この複数の分割更新データが放送される期間では衛星放送に係る放送ＤＬの開始がスケジュールされていない、ことが事実である。
【００５０】
さらにＣａｓｅ３は、図３における（Ｓ３０７のＹｅｓ）に該当する、地上放送に係る複数の関連する分割更新データの放送時間帯が、これらの分割更新データからなる更新データと同じ更新データの衛星放送からの放送開始時間に重複する場合の、放送ＤＬのスケジュールの例を示す概念図である。このＣａｓｅ３では、地上放送に係る放送ＤＬでは複数の分割更新データが放送されること、及び、この複数の分割更新データが放送される期間の何れかに衛星放送に係る放送ＤＬの開始がスケジュールされている、ことが事実である。
【００５１】
従って、本実施形態に係る放送ＤＬ処理では、地上放送に係る放送ＤＬで分割更新データが放送される場合、この放送期間内の衛星放送に係る放送ＤＬの有無に応じて、地上放送又は衛星放送の何れかに係る放送ＤＬを実行すべきかが判定されるので、直近の放送ＤＬが地上放送に係るものであっても、この地上放送に係る放送ＤＬは実行されずに衛星放送に係る放送ＤＬが優先して実行されることがある。
【００５２】
すなわち、本実施形態に係るテレビジョン受像機１０は、プログラムデータを分割した複数の更新データを、衛星放送又は地上放送から効率的にダウンロードすることができる。
【００５３】
ところで、テレビジョン受像機１０が、地上放送に係る放送ＤＬで複数の分割更新データを取得する場合に、いくつかの分割更新データの取得に失敗することが想定される。具体的には、テレビジョン受像機１０が、３つの分割更新データを取得すべき状態で、1つ目の分割更新データの取得に失敗した場合には、地上放送の受信状態が悪い状態であることが原因として考えられる。つまりこのとき、テレビジョン受像機１０は、地上波に係る放送ＤＬを実行するのではなく、衛星放送に係る放送ＤＬの実行に切り替えて、悪い状態の地上放送の受信を避けてもよい。また、テレビジョン受像機１０は、２つ目、３つ目の分割更新データの取得に失敗した場合には、現在取得していない分割更新データの放送スクジュールと、衛星放送に係る放送ＤＬで更新データが放送される放送スケジュールとを勘案して決定してもよい。
【００５４】
以上説明したように本実施形態によれば、地上放送に係る放送ＤＬで分割更新データが放送される場合、この分割更新データと関連し、全てを合体させて一つの更新データとなる複数の分割更新データそれぞれの放送期間内の、衛星放送に係る放送ＤＬの有無に応じて、地上放送又は衛星放送の何れかに係る放送ＤＬを実行すべきかが判定されるので、プログラムデータを分割した複数の更新データを、衛星放送又は地上放送から効率的にダウンロードすることができる。
【００５５】
なお本発明は、前述した実施形態に限定されるものではなく、本発明の要旨を変えない範囲において、種々の変更、改変等が可能である。また、前述した実施形態に開示されている複数の構成要素を適宜に組み合わせることにより、種々の発明を形成することができる。例えば、実施形態に示される全構成要素から幾つかの構成要素を削除してもよく、さらに、異なる実施形態に係る構成要素を適宜組み合わせても良い。
【符号の説明】
【００５６】
１０…テレビジョン受像機、２０ａ…地上放送処理部、２０ｂ…衛星放送処理部、２１…外部機器ＩＦ部、３１…操作部、３２…受光部、４０…信号処理制御部、５１…表示器、５２…スピーカ、６０…記憶部、ＲＣ…リモコン、２０１…ＤＬ情報分離部Ａ、２０２…ＤＬ情報分離部Ｂ、２０３…放送ＤＬ制御部、２０４…映像音声処理部、２０５…ＣＰＵ。
【図１】
2011135430.tif 000003
【図２】
2011135430.tif 000004
【図３】
2011135430.tif 000005
【図４】
2011135430.tif 000006